(57)【要約】      （修正有）【課題】ゴルフ等のスポーツ用手袋を脱ぐのを容易にするため、着用状態にある手袋本体を各指から同時に外して手袋本体をワンタッチで脱ぐことができ、かつ外観もすぐれた手袋を提供する。【解決手段】手袋１０を嵌めていない手（空き手）側の小指を引っ掛け用索条５２に引っ掛け、手袋１０を嵌めていない親指と人差し指等でゴルフ手袋の親指及び人差し指に相応する指挿入部４０Ａ、４０Ｂを同時に摘まむことによって、すべて指からすべての指挿入部４０Ａ乃至４０Ｅを引き外すことができ、引っ掛け用索条５２の固定部を装飾隠蔽片６２Ｃ、６２Ｅで覆って手袋の体裁を損なうことがないので、見栄えよく使用することができる。【選択図】図１
0003165202.tif 000002
【実用新案登録請求の範囲】
【請求項１】
着用者の手の甲と掌とを包むように一体に結合された甲部と掌部とこの甲部及び掌部の先端から延びて着用者の各指に被せられるべき５つの指挿入部とから成る手袋本体の前記５つの指挿入部のうち、少なくとも中指と薬指と小指に相応する３つの指挿入部に跨って隣り合う指挿入部の間隔を調整することができるようにして指挿入部の甲側に配置されてこれらの指挿入部にそれぞれ取り付けられ前記３つの指挿入部を空き手の小指で引っ掛けて同時に引っ張ることができる１つの引っ掛け用索条を含む手袋本体脱ぎ手段を備えている手袋において、前記引っ掛け用索条の両端の固定部を装飾的に隠蔽する装飾隠蔽手段を更に備えていることを特徴とする手袋。
【請求項２】
着用者の手の甲と掌とを包むように一体に結合された甲部と掌部とこの甲部及び掌部の先端から延びて着用者の各指に被せられるべき５つの指挿入部とから成る手袋本体の前記５つの指挿入部のうち、少なくとも中指と薬指と小指に相応する３つの指挿入部に跨って隣り合う指挿入部の間隔を調整することができるようにして指挿入部の甲側に配置されてこれらの指挿入部にそれぞれ取り付けられ前記３つの指挿入部を空き手の小指で引っ掛けて同時に引っ張ることができる１つの引っ掛け用索条を含む手袋本体脱ぎ手段を備えている手袋において、前記引っ掛け用索条の両端の固定部を装飾的に隠蔽する装飾隠蔽手段を更に備え、前記装飾隠蔽手段は、前記引っ掛け用索条の両端の固定部を覆うように対応する指挿入部の甲側に設けられている装飾隠蔽片から成っていることを特徴とする手袋。
【請求項３】
着用者の手の甲と掌とを包むように一体に結合された甲部と掌部とこの甲部及び掌部の先端から延びて着用者の各指に被せられるべき５つの指挿入部とから成る手袋本体の前記５つの指挿入部のうち、少なくとも中指と薬指と小指に相応する３つの指挿入部に跨って隣り合う指挿入部の間隔を調整することができるようにして指挿入部の甲側に配置されてこれらの指挿入部にそれぞれ取り付けられ前記３つの指挿入部を空き手の小指で引っ掛けて同時に引っ張ることができる１つの引っ掛け用索条を含む手袋本体脱ぎ手段を備えている手袋において、前記引っ掛け用索条の両端の固定部を装飾的に隠蔽する装飾隠蔽手段を更に備え、前記装飾隠蔽手段は、前記引っ掛け用索条の両端の固定部を覆うように対応する指挿入部の甲側に設けられている装飾隠蔽片から成り、且つ前記装飾隠蔽手段は、前記引っ掛け用索条の直接縫着による固定部又は前記引っ掛け用索条の両端を固定片を介して固定する固定部を装飾的に隠蔽するものであることを特徴とする手袋。
【請求項４】
着用者の手の甲と掌とを包むように一体に結合された甲部と掌部とこの甲部及び掌部の先端から延びて着用者の各指に被せられるべき５つの指挿入部とから成る手袋本体の前記５つの指挿入部のうち、少なくとも中指と薬指と小指に相応する３つの指挿入部に跨って隣り合う指挿入部の間隔を調整することができるようにして指挿入部の甲側に配置されてこれらの指挿入部にそれぞれ取り付けられ前記３つの指挿入部を空き手の小指で引っ掛けて同時に引っ張ることができる１つの引っ掛け用索条を含む手袋本体脱ぎ手段を備えている手袋において、前記引っ掛け用索条の両端の固定部を装飾的に隠蔽する装飾隠蔽手段を含み、前記装飾隠蔽手段は、前記引っ掛け用索条の両端を対応する指挿入部の甲側に固定する装飾隠蔽片から成っていることを特徴とする手袋。
【請求項５】
着用者の手の甲と掌とを包むように一体に結合された甲部と掌部とこの甲部及び掌部の先端から延びて着用者の各指に被せられるべき５つの指挿入部とから成る手袋本体を備えた手袋に取り付けられるべきものであって、前記手袋本体の５つの指挿入部のうち、中指と薬指と小指に相応する３つの指挿入部に跨って隣り合う指挿入部の間隔を調整することができるようにして指挿入部の甲側に配置して取り付けられ前記３つの指挿入部を空き手の小指で引っ掛けて同時に引っ張ることができる１つの引っ掛け用索条とこの引っ掛け用索条の両端を手袋本体の中指と小指の指挿入部の甲側に固定すべき固定部とを含む手袋本体脱ぎ手段から成っている手袋用付属品であって、前記引っ掛け用索条の両端の固定部を装飾的に隠蔽する装飾隠蔽手段を更に備えていることを特徴とする手袋用付属品。
【請求項６】
着用者の手の甲と掌とを包むように一体に結合された甲部と掌部とこの甲部及び掌部の先端から延びて着用者の各指に被せられるべき５つの指挿入部とから成る手袋本体を備えた手袋に取り付けられるべきものであって、前記手袋本体の５つの指挿入部のうち、中指と薬指と小指に相応する３つの指挿入部に跨って隣り合う指挿入部の間隔を調整することができるようにして指挿入部の甲側に配置して取り付けられ前記３つの指挿入部を空き手の小指で引っ掛けて同時に引っ張ることができる１つの引っ掛け用索条とこの引っ掛け用索条の両端を手袋本体の中指と小指の指挿入部の甲側に固定すべき固定部とを含む手袋本体脱ぎ手段から成っている手袋用付属品であって、前記引っ掛け用索条の両端の固定部を装飾的に隠蔽する装飾隠蔽手段を更に備え、前記引っ掛け用索条の両端の固定部は、前記引っ掛け用索条の両端の下面又はこの引っ掛け用索条に固定され指挿入部に熱融着、接着又は面固着等によって固定されるべき固定片の下面に設けられた固定材から成り、前記装飾隠蔽手段は、この索条の両端又は固定片を覆うように設けられた装飾隠蔽片から成っていることを特徴とする手袋用付属品。
【請求項７】
着用者の手の甲と掌とを包むように一体に結合された甲部と掌部とこの甲部及び掌部の先端から延びて着用者の各指に被せられるべき５つの指挿入部とから成る手袋本体を備えた手袋に取り付けられるべきものであって、前記手袋本体の５つの指挿入部のうち、中指と薬指と小指に相応する３つの指挿入部に跨って隣り合う指挿入部の間隔を調整することができるようにして指挿入部の甲側に配置して取り付けられ前記３つの指挿入部を空き手の小指で引っ掛けて同時に引っ張ることができる１つの引っ掛け用索条とこの引っ掛け用索条の両端を手袋本体の中指と小指の指挿入部の甲側に固定すべき固定部とを含む手袋本体脱ぎ手段から成っている手袋用付属品であって、前記引っ掛け用索条の両端の固定部を装飾的に隠蔽する装飾隠蔽手段を更に備え、前記引っ掛け用索条の両端の固定部は、前記引っ掛け用索条の両端下面又はこの引っ掛け用索条の両端に固定され対応する指挿入部に熱融着、接着又は面固着等によって固定されるべき固定片の下面に設けられた固定材から成り、前記装飾隠蔽手段は、前記索条の両端又は固定片を覆うように設けられた装飾隠蔽片から成り、前記装飾隠蔽片は、前記引っ掛け用索条の両端又は固定片にのみ固定されていることを特徴とする手袋用付属品。
【請求項８】
着用者の手の甲と掌とを包むように一体に結合された甲部と掌部とこの甲部及び掌部の先端から延びて着用者の各指に被せられるべき５つの指挿入部とから成る手袋本体を備えた手袋に取り付けられるべきものであって、前記手袋本体の５つの指挿入部のうち、中指と薬指と小指に相応する３つの指挿入部に跨って隣り合う指挿入部の間隔を調整することができるようにして指挿入部の甲側に配置して取り付けられ前記３つの指挿入部を空き手の小指で引っ掛けて同時に引っ張ることができる１つの引っ掛け用索条とこの引っ掛け用索条の両端を手袋本体の中指と小指の指挿入部の甲側に固定すべき固定部とを含む手袋本体脱ぎ手段から成っている手袋用付属品であって、前記引っ掛け用索条の両端の固定部を装飾的に隠蔽する装飾隠蔽手段を更に備え、前記引っ掛け用索条の両端の固定部は、前記引っ掛け用索条の両端の下面又はこの引っ掛け用索条の両端に固定され指挿入部に熱融着、接着又は面固着等によって固定されるべき固定片の下面に設けられた固定材から成り、前記装飾隠蔽手段は、前記引っ掛け用索条の両端又は前記固定片を覆うように設けられ装飾隠蔽片から成り、前記装飾隠蔽片は、前記引っ掛け用索条の両端又は前記固定片に固定され、且つ前記対応する指挿入部に粘着、接着又は面固着等によって固定されるべきであることを特徴とする手袋用付属品。
【請求項９】
着用者の手の甲と掌とを包むように一体に結合された甲部と掌部とこの甲部及び掌部の先端から延びて着用者の各指に被せられるべき５つの指挿入部とから成る手袋本体を備えた手袋に取り付けられるべきものであって、前記手袋本体の５つの指挿入部のうち、中指と薬指と小指に相応する３つの指挿入部に跨って隣り合う指挿入部の間隔を調整することができるようにして指挿入部の甲側に配置して取り付けられ前記３つの指挿入部を空き手の小指で引っ掛けて同時に引っ張ることができる１つの引っ掛け用索条とこの引っ掛け用索条の両端を手袋本体の中指と小指の指挿入部の甲側に固定すべき固定部とを含む手袋本体脱ぎ手段を備えている手袋用付属品であって、前記引っ掛け用索条の両端の固定部を装飾的に隠蔽する装飾隠蔽手段を更に備え、前記装飾隠蔽手段は、前記引っ掛け用索条の両端を対応する指挿入部の甲側に熱融着、接着又は面固着等によって固定すべき装飾隠蔽片から成っていることを特徴とする手袋用付属品。
【考案の詳細な説明】
【技術分野】
【０００１】
本考案は、着用者が容易に脱ぐことができる手袋及びその付属品に関し、プレーの途中で頻繁に着脱することが要求されるゴルフ手袋、野球手袋（打撃時に使用する手袋）の如きスポーツ手袋に特に好適な構造を有する手袋に関するものである。
【背景技術】
【０００２】
手袋は、一般に、甲部と掌部とこれらの甲部と掌部とから延びている５つの指挿入部とから成っており、ゴルフ手袋の如きスポーツ手袋は、通常、掌部から延びる止め具を甲部に面ファスナーによって開閉自在にして手に着用される。
【０００３】
例えば、ゴルファーは、プレー終了後はもちろん、プレー中であっても、種々の理由で手袋を脱ぐことがある。例えば、アプローチショットやパッティングをする際、あるいはホールの間でキャディバックから物を取り出す際等にゴルフ手袋を脱ぐことがある。
【０００４】
アプローチショットやパッティングの際には、プレーを迅速に行うために、ゴルフ手袋を素早く脱ぐことが要求される。ゴルフ手袋は、ゴルフクラブを密着して把持することができるようにするために、通常、プレーヤーの手の甲、掌及び指に密着して嵌められるので、ゴルフ手袋を脱ぐのに相当の時間がかかり、特に、指挿入部は、一本ずつ、指挿入部の頂部を引っ張って外すので、すべての指挿入部を相応する指から脱がすのに相当の時間がかかる。雨中でのプレー時には雨が降っていない中でのプレー時よりも、ゴルフ手袋が手に一層密着しているので、ゴルフ手袋を脱ぐのが一層困難になる。アプローチショットやパッティングの際にゴルフ手袋を脱ぐのは、素手でクラブを把持した方がクラブをコントロールし易いためである。
【０００５】
本出願人は、上記のように手袋を脱ぐのを容易にするため、着用状態にある手袋本体を各指から同時に外して手袋本体をワンタッチで脱ぐことができる手袋を既に提案している（特許文献１参照）。
【０００６】
この特許文献１で提案された手袋は、着用者の手の甲と掌とを包むように一体に結合された甲部２０と掌部３０と、この甲部２０及び掌部３０の先端から延びて着用者の各指に被せられるべき５つの指挿入部４０Ａ乃至４０Ｅとから成る手袋本体１０Ｂの５つの指挿入部４０Ａ乃至４０Ｅのうち、少なくとも中指と薬指と小指に相応する３つの指挿入部４０Ｃ、４０Ｄ、４０Ｅに跨って隣り合う指挿入部の間隔を調整することができるようにして指挿入部の甲側に配置されてこれらの指挿入部にそれぞれ取り付けられ３つの指挿入部４０Ｃ、４０Ｄ、４０Ｅを空き手の小指で引っ掛けて同時に引っ張ることができる１つの引っ掛け用索条５２を含む手袋本体脱ぎ手段５０を備えている。
【０００７】
この構造の手袋は、空き手の親指と人差し指等で親指と人差し指に相応する指挿入部の先端を挟みながら引っ掛け用索条５２に小指を引っ掛けて引っ張ると、すべての指から相応する指挿入部が外れて手袋を手指から外すことができ、手袋を手指からワンタッチで容易に脱がせることができる（特許文献１の図５参照）。
【０００８】
この構造の手袋において、引っ掛け用索条５２の両端は、手袋本体４０の指挿入部４０Ｃ、４０Ｅの甲側に縫い付けるか（特許文献１の図３及び図４参照）、指挿入部４０Ｃ、４０Ｅの甲側に縫着、熱融着、接着等によって固定された固定片５４ＣＰ、５４ＥＰに同様に縫着、熱融着、接着して（特許文献１の図７及び図８参照）指挿入部に固定されている。
【０００９】
引っ掛け用索条５２の両端の固定は、製造工程での作業を効率よく行うためには、指挿入部の甲側に縫着するのが最も好ましいが、手袋の甲側に視認することができるような状態では、手袋の体裁を損なって外観を悪くするため、このように外観が悪くならないように、索条５２の両端固定用の縫着部は、指挿入部の甲側と掌側との間の縫着部４０ＥＭに挿入したり、指挿入部の隅に近い位置に施したりしている（特許文献１の図４（Ａ）参照）。
【００１０】
また、引っ掛け用索条５２の両端を固定片５４ＣＰ、５４ＥＰを介して指挿入部４０Ｃ、４０Ｅに固定する構造（特許文献１の図７及び図８参照）も、固定片５４ＣＰ、５４ＥＰが指挿入部４０Ｃ、４０Ｅとの調和が悪く、同様に外観を悪くする。
【００１１】
【特許文献１】ＷＯ２０１０／０２９６１４号国際公開公報
【考案の概要】
【考案が解決しようとする課題】
【００１２】
本考案が解決しようとする第１の課題は、着用状態にある手袋本体を各指から同時に外して手袋本体をワンタッチで脱ぐことができるようにする引っ掛け用索条の両端の固定部の外観の低下を招くことがない手袋を提供することにある。
【００１３】
本考案が解決しようとする第２の課題は、着用状態にある手袋本体を各指から同時に外して手袋本体をワンタッチで脱ぐことができるようにする引っ掛け用索条の両端の固定部の外観の低下を招くことなく手袋に取り付けることができる手袋用付属品を提供することにある。
【課題を解決するための手段】
【００１４】
本考案の第１の課題解決手段は、着用者の手の甲と掌とを包むように一体に結合された甲部と掌部とこの甲部及び掌部の先端から延びて着用者の各指に被せられるべき５つの指挿入部とから成る手袋本体の５つの指挿入部のうち、少なくとも中指と薬指と小指に相応する３つの指挿入部に跨って隣り合う指挿入部の間隔を調整することができるようにして指挿入部の甲側に配置されてこれらの指挿入部にそれぞれ取り付けられ３つの指挿入部を空き手の小指で引っ掛けて同時に引っ張ることができる１つの引っ掛け用索条を含む手袋本体脱ぎ手段を備えている手袋において、引っ掛け用索条の両端の固定部を装飾的に隠蔽する装飾隠蔽手段を含むことを特徴とする手袋を提供することにある。
【００１５】
本考案の第１の課題解決手段において、装飾隠蔽手段は、引っ掛け用索条の両端の固定部を覆うように対応する指挿入部の甲側に設けられる装飾隠蔽片から成っている形態とすることができる。この装飾隠蔽手段は、索条の直接縫着による固定部に限らず、索条の両端を固定片を介して固定する固定部にも適用することができる。また、装飾隠蔽片は、索条の固定部又はこの固定部が設けられる指挿入部の甲側に粘着、接着、縫い付けその他適宜の手段で固定されることができる。
【００１６】
本考案の第１の課題解決手段において、装飾隠蔽手段は、引っ掛け用索条の両端を対応する指挿入部の甲側に粘着、接着又は面固着によって固定する装飾隠蔽片から成っている形態とすることができる。この装飾隠蔽手段は、索条の両端を指挿入部の甲側に固定する機能とこの固定部を装飾的に隠蔽する機能とを有する。
【００１７】
本考案の第２の課題解決手段は、着用者の手の甲と掌とを包むように一体に結合された甲部と掌部とこの甲部及び掌部の先端から延びて着用者の各指に被せられるべき５つの指挿入部とから成る手袋本体を備えた手袋に取り付けられるべきものであって、手袋本体の５つの指挿入部のうち、中指と薬指と小指に相応する３つの指挿入部に跨って隣り合う指挿入部の間隔を調整することができるようにして指挿入部の甲側に配置して取り付けられ３つの指挿入部を空き手の小指で引っ掛けて同時に引っ張ることができる１つの引っ掛け用索条とこの引っ掛け用索条の両端を手袋本体の中指と小指の指挿入部の甲側に固定すべき固定部とを含む手袋本体脱ぎ手段から成っている手袋用付属品であって、引っ掛け用索条の両端の固定部を装飾的に隠蔽する装飾隠蔽手段を更に備えていることを特徴とする手袋用付属品を提供することにある。
【００１８】
本考案の第２の課題解決手段において、引っ掛け用索条の両端の固定部は、引っ掛け用索条の両端の下面又はこの引っ掛け用索条に固定され指挿入部に熱融着、接着又は面固着等によって固定されるべき固定片の下面に設けられた固定材から成り、装飾隠蔽手段は、この索条の両端（固定片なしの場合）又は固定片を覆うように設けられた装飾隠蔽片から成っている形態とすることができる。この場合、装飾隠蔽片は、固定片に固定されているだけでもよいし、固定片と共に相応する指挿入部に粘着、接着又は面固着等によって固定されてもよい。
【００１９】
本考案の第２の課題解決手段において、装飾隠蔽手段は、引っ掛け用索条の両端を対応する指挿入部の甲側に熱融着、接着又は面固着等によって固定すべき装飾隠蔽片から成っている形態とすることができる。この装飾隠蔽手段は、索条の両端を指挿入部の甲側に固定する機能とこの固定部を装飾的に隠蔽する機能とを有する。
【考案の効果】
【００２０】
本考案によると、引っ掛け用索条とその固定部を含む手袋本体脱ぎ手段を備えていて、空き手の親指と人差し指等で親指と人差し指に相応する指挿入部の先端を挟みながら引っ掛け用索条に小指を引っ掛けて引っ張ると、すべての指から相応する指挿入部が外れて手指から外すことができる手袋の索条の固定部を隠蔽することができるので、引っ掛け用索条の両端の固定部の外観の低下を招くことがない。
【００２１】
また、装飾隠蔽手段の装飾隠蔽片が引っ掛け用の索条の両端を固定する固定機能を兼ねていると、構造が簡単となる上に、手袋本体脱ぎ手段と装飾隠蔽手段とを有する手袋を複雑な工程を必要とすることなく製造することができ、この種の手袋を安価に提供することができる。
【図面の簡単な説明】
【００２２】
【図１】本考案の１つの実施の形態によるゴルフ手袋の正面図である。
【図２】図１のゴルフ手袋の背面図である。
【図３】図１及び図２のゴルフ手袋の手袋本体脱ぎ手段と装飾隠蔽手段との拡大正面図である。
【図４】図３の手袋本体脱ぎ手段の固定部と保持部及び装飾隠蔽手段の装飾隠蔽片とを示し、同図（Ａ）は、固定部と装飾隠蔽片とを示すために図３のＡ−Ａ線で切断した断面図、同図（Ｂ）は、保持部を示すために図３のＢ−Ｂ線で切断した断面図である。
【図５】図１及び図２のゴルフ手袋を脱ぐ際の手順を示すブロック図である。
【図６】図１及び図２のゴルフ手袋を嵌めてゴルフクラブを握った状態の斜視図である。
【図７】本考案の他の形態による手袋本体脱ぎ手段と装飾隠蔽手段との拡大正面図である。
【図８】図７の手袋本体脱ぎ手段の固定部と保持部と装飾隠蔽手段の装飾隠蔽片とを示し、同図（Ａ）は、固定部と装飾隠蔽片を示すために図８のＡ−Ａ線で切断した断面図、同図（Ｂ）は、保持部を示すために図８のＢ−Ｂ線で切断した断面図である。
【図９】図８（Ａ）と同様の断面であるが、図７及び図８の手袋の変形例を示す断面図である。
【図１０】ゴルフ手袋に取り付けてゴルフ手袋を脱ぎ易くするのに好適なゴルフ手袋用付属品の１つの形態を示し、同図（Ａ）は、その正面図、同図（Ｂ）は、その縦断面図である。
【図１１】ゴルフ手袋に取り付けてゴルフ手袋を脱ぎ易くするのに好適なゴルフ手袋用付属品の他の形態を示し、同図（Ａ）は、その正面図、同図（Ｂ）は、その縦断面図である。
【図１２】本考案に用いられる装飾隠蔽片の幾つかの例の正面図である。
【考案を実施するための形態】
【００２３】
以下本考案を実施するための最良の形態を図面に基づいて説明する。本考案の１つの実施の形態の手袋１０を図１乃至図３を参照して述べるが、図示の形態では手袋１０は、ゴルフ手袋であるが、本考案は、ゴルフ手袋以外に、他のスポーツ手袋、その他の一般的な手袋にも適用することができる。この手袋は、天然皮革、合成皮革その他の適宜の材料から作ることができる。
【００２４】
手袋１０は、着用者の手の甲と掌とを包むように一体に結合された甲部２０と掌部３０とこれらの甲部２０及び掌部３０の先端から一体に延びて形成されて着用者の各指に被せられるべき５つの指挿入部４０Ａ、４０Ｂ、４０Ｃ、４０Ｄ及び４０Ｅとから成る手袋本体１０Ｂを備えている。なお、図１において、符号１２は、甲部２０と掌部３０との手首側の開口部を面ファスナーで閉じて手袋本体１０Ｂを手から抜け止めする止め具である。
【００２５】
本考案の手袋１０は、図１乃至図３に示すように、手袋本体１０Ｂの５つの指挿入部４０Ａ乃至４０Ｅのうち、少なくとも中指と薬指と小指に相応する３つの指挿入部４０Ｃ、４０Ｄ、４０Ｅに跨って隣り合う指挿入部４０Ｃと４０Ｄ及び４０Ｄと４０Ｅとの間隔を自由に調整するのを許すようにしてこれらの指挿入部４０Ｃ乃至４０Ｅの甲側に設けられこれらの３つの指挿入部を空き手の小指で引っ掛けて同時に引っ張ることができる１つの引っ掛け用索条５２とこの引っ掛け用索条５２の両端を中指と小指とに対応する指挿入部４０Ｃ、４０Ｅの甲側にそれぞれ固定する固定部５４Ｃ、５４Ｅとを含む手袋本体脱ぎ手段５０とこの手袋本体脱ぎ手段５０の引っ掛け用索条５２の両端の固定部５４Ｃ、５４Ｅを装飾的に隠蔽する装飾隠蔽手段６０を備えている。この引っ掛け用索条５２も手袋本体１０Ｂの材料と同じ材料から作られていてもよいが、指挿入部に固定することができれば、異なる材料、例えば、異なるプラスチック紐、帯その他の材料から作ることもできる。
【００２６】
手袋本体脱ぎ手段５０は、図３に示すように、引っ掛け用索条５２の両端の固定部５４Ｃ、５４Ｅの中間部を薬指の指挿入部４０Ｄに保持する保持部５４Ｄを更に含んでいる。図示の形態では、保持部５４Ｄは、引っ掛け用索条５２が薬指に相応する指挿入部４０Ｄに対して横方向に変位できるようにこの索条５２を薬指に相応する指挿入部４０Ｄに保持している。
【００２７】
図示の形態では、固定部５４Ｃ、５４Ｅは、引っ掛け用索条５２に縫い付けによって形成されている。図４を参照して更に詳細に述べると、固定部５４Ｅは、図４（Ａ）に示すように、索条５２の端部５２ｅを小指の指挿入部４０Ｅの甲側生地に横方向に間隔をあけて２ケ所縫い付けて形成されている（縫い付け部が符号５２ＥＭで示されている）。固定部５４Ｃも同様にして索条５２の端部を横方向に間隔をあけて２ケ所縫い付けて形成される。いずれの場合も、索条５２が、掌側に露呈したり指挿入部の間に入り込んだりして手袋着用時に指の間に索条５２が介在して指相互の密着を害することがないようにすることが必要である。索条５２の端部を横方向に間隔をあけて２ケ所縫い付けるのは、１ケ所だけ縫い付ける場合よりも索条５２の端部の固定がより強固に行うことができるからであり、従って、これらの縫い付け部５２ＥＭは、横方向ではなく縦方向に間隔をあけていてもよい。なお、図４（Ａ）において、符号４０ＥＭは、指挿入部４０Ｅの甲側生地と掌側生地との両側の縫着部を示す。
【００２８】
また、図示の形態では、保持部５４Ｄは、薬指に相応する指挿入部４０Ｄの甲側生地に設けられて引っ掛け用索条５２が貫通する１対の縦スリット４０ＤＳ間の生地部分４０ＤＰＡから成っている(図３及び図４（Ｂ）参照)。引っ掛け用索条５２は、この生地部分４０ＤＰＡの内面を潜り抜けるようにこれらの縦スリット４０ＤＳを通して横方向に自由に変位することができるように指挿入部４０Ｄに保持されている。なお、図４（Ｂ）において、符号４０ＤＭは、指挿入部４０Ｄの甲側生地と掌側生地との両側の縫着部を示す。
【００２９】
装飾隠蔽手段６０は、図３及び図４に示すように、引っ掛け用索条５２の両端の固定部５４Ｃ、５４Ｅを覆うように対応する指挿入部４０Ｃ、４０Ｅの甲側に固定される装飾隠蔽片６２Ｃ、６２Ｅから成っている。これらの装飾隠蔽片６２Ｃ、６２Ｅは、指挿入部４０Ｃ、４０Ｅの甲側に粘着、接着、縫い付けその他適宜の手段で固定されることができるが、図示の形態では、装飾隠蔽片６２Ｃ、６２Ｅは、索条５２の両端を固定する機能を有する必要はないので、粘着、接着で充分であり、また着脱自在に粘着、接着してもよい。装飾隠蔽片６２Ｃ、６２Ｅは、例えば、図１２（Ａ）乃至（Ｃ）に示すように、花模様、ハート模様その他適宜の模様のワッペン又はシール状の物体とするのが好ましい。
【００３０】
図１及び図２に示すゴルフ手袋１０の使用状態は、特許文献１に記載したのと同じであるが、これを簡単に述べると、手袋本体脱ぎ手段５０の引っ掛け用索条５２は、中指、薬指及び小指に相応する指挿入部４０Ｃ乃至４０Ｅの隣り合う指挿入部４０Ｃと４０Ｄ及び４０Ｄと４０Ｅ間で間隔を調整することができるような長さに設定されており、且つ薬指に相応する指挿入部４０Ｄに対しては横方向に変位することができるように手袋本体１０Ｂに保持されているので、図６に示すように、このゴルフ手袋１０を嵌める際やこのゴルフ手袋１０を介してゴルフクラブ７０を握る際に、この引っ掛け用索条５２がこれらの指挿入部４０Ｃ、４０Ｄ、４０Ｅの間隔を拘束することがなく、プレーに支障を来すことがない。
【００３１】
着用者（プレーヤ）がアプローチショットやパッティングをする際のように、ゴルフ手袋を脱ぎたい場合には、まず、止め具１２を外し（図５のステップ１参照）、ゴルフ手袋を嵌めていない反対側の手（空き手）の小指を手袋本体脱ぎ手段５０の引っ掛け用索条５２の中指と薬指との間又は薬指と小指との間に引っ掛け（図５のステップ２参照）、また空き手の親指と人差し指との間に手袋本体１０Ｂの親指と人差し指に相応する指挿入部４０Ａ、４０Ｂの先端を同時に挟み込んで把持し（図５のステップ３参照）、この状態で引っ掛け用索条５２と指挿入部４０Ａ、４０Ｂを同時に引っ張る（図５のステップ４参照）。このようにすると、すべての指挿入部４０Ａ乃至４０Ｅが相応するすべての指から同時に円滑に引き抜かれ、ゴルフ手袋１０がワンタッチで手から脱がされる。なお、ゴルフ手袋１０の親指と人差し指とに相応する指挿入部４０Ａ、４０Ｂを把持する方法は、上記の空き手の親指と人差し指とで挟む方法以外に、空き手の親指と人差し指との間及び人差し指と中指との間でそれぞれ指挿入部４０Ａ、４０Ｂの先端を挟んでもよく、この場合も、空き手の小指を引っ掛け用索条５２に引っ掛けて手袋本体１０Ｂ全体を同時に引き抜くことができる。
【００３２】
また、図１乃至図３の実施の形態の手袋１０は、手袋本体脱ぎ手段５０の引っ掛け用索条５２の固定部５４Ｃ、５４Ｅを装飾的に隠蔽する装飾隠蔽手段６０を有するので、手袋本体脱ぎ手段６０によって手袋１０の見栄えが損なわれるのを回避することができ、手袋の商品価値を低下することがない。
【００３３】
本考案の他の形態が図７及び図８に示されており、この形態では、固定部５４Ｃ、５４Ｅは、引っ掛け用索条５２に固定されて指挿入部４０Ｃ、４０Ｅの甲側に固着される固定片５４ＣＰ、５４ＥＰから成っており、また保持部５４Ｄは、引っ掛け用索条５２が貫通するように薬指に相応する指挿入部４０Ｄの甲側に取り付けられる保持片５４ＤＰＢから成っている。
【００３４】
固定片５４ＣＰ、５４ＥＰは、縫着、熱融着又は接着のいずれかによって引っ掛け用索条５２に固定することができるが、図示の縫着が最も好ましい固定手段である(図８（Ａ）参照)。また、これらの固定片５４ＣＰ、５４ＥＰ及び保持片５４ＤＰＢは、縫着、熱融着、接着又は面固着(面ファスナー)のいずれかによって指挿入部４０Ｃ、４０Ｅ、４０Ｄにそれぞれ固定することができるが、図示の固定手段は、接着であるのが示されている(図８（Ａ）（Ｂ）参照)。なお、図８（Ｂ）において、符号５４ＤＧは、引っ掛け用索条５２が指挿入部４０Ｄの甲側生地と保持片５４ＤＰＢとの間で横方向(指を横切る方向)に自由に変位することができるように、指挿入部４０Ｄの甲側生地と保持片５４ＤＰＢとの間に形成された隙間である。
【００３５】
図７及び図８の実施の形態の手袋において、引っ掛け用索条５２の固定部５４Ｃ、５４Ｅを装飾的に隠蔽する装飾隠蔽手段６０は、これらの固定部５４Ｃ、５４Ｅを形成する固定片５４ＣＰ、５４ＥＰを覆って固定部５４Ｃ、５４Ｅを装飾的に隠蔽する装飾隠蔽片６２Ｃ、６２Ｅから成っている。これらの装飾隠蔽片６２Ｃ、６２Ｅは、図１乃至図３の実施の形態と同様に、対応する指挿入部４０Ｃ、４０Ｅの甲側に粘着、接着又は面固着によって固定することができ、またこの固定は、着脱自在であってもよい。
【００３６】
なお、図７及び図８の形態の手袋は、固定片５４ＣP、５４ＥＰが引っ掛け用索条５２を対応する指挿入部４０Ｃ、４０Ｅに固定するので、装飾隠蔽片６２Ｃ、６２Ｅは、固定片５４ＣＰ、５４ＥＰに固定していれば、固定片５４ＣＰ、５４ＥＰを装飾的に隠蔽することができるので、装飾隠蔽片６２Ｃ、６２Ｅは、必ずしも指挿入部４０Ｃ、４０Ｅに固定しなくてもよい。言い換えると、装飾隠蔽片６２Ｃ、６２Ｅは、引っ掛け用索条５２の両端の固定部５４Ｃ、５４Ｅを隠蔽するように指挿入部４０Ｃ、４０Ｅに直接又は間接的に取り付けられていればよい。
【００３７】
図７及び図８の実施の形態の手袋において、索条５２の両端を固定する固定片５４ＣＰ、５４ＥＰの上にこれらを装飾隠蔽する装飾隠蔽片６２Ｃ、６２Ｅが設けられているが、図９に示すように、固定片５４ＣＰ、５４ＥＰを省略し、装飾隠蔽片６２Ｃ、６２Ｅが索条５２の両端を固定する機能とその固定部を装飾隠蔽する機能との両方を兼ねている形態とすることができる。
【００３８】
この図９の実施の形態によると、装飾隠蔽手段６０の装飾隠蔽片６２Ｃ、６２Ｅが手袋本体脱ぎ手段５０の固定片５４ＣＰ、５４ＥＰの機能を兼ねているので、構造が簡単となる上に、手袋を複雑な工程を必要とすることなく製造することができるので有利である。
【００３９】
本考案は、手袋本体脱ぎ手段５０を有しない既存の手袋に手袋本体脱ぎ手段５０を後付することができる付属品１０ＡＣも提供するが、その１つの実施の形態が図１０に示されている。
【００４０】
図１０に示すように、この付属品１０ＡＣは、図１又は図７のゴルフ手袋１０から手袋本体脱ぎ手段５０と装飾隠蔽手段６０とを独立して分離した構成物体に相応するものである。この付属品１０ＡＣは、引っ掛け用索条５２と、その両端を中指と小指の指挿入部４０Ｃ、４０Ｅ(図１及び図２参照、以下同じ)にそれぞれ固定すべき固定片５４ＣＰ、５４ＥＰと、引っ掛け用索条５２の中間部を薬指の指挿入部４０Ｄに左右に変位することができるように保持すべき保持片５４ＤＰＣとを含む手袋本体脱ぎ手段５０と、引っ掛け用索条の両端の固定部５４Ｃ、５４Ｅを装飾的に隠蔽する装飾隠蔽手段６０から成っている。
【００４１】
引っ掛け用索条５２の両端の固定部５４Ｃ、５４Ｅは、引っ掛け用索条５２の両端に縫着、熱融着又は接着によって固定され指挿入部（図１乃至図３の符号４０Ｃ、４０Ｅ参照）に熱融着、接着又は面固着等によって固定されるべき固定片５４ＣＰ、５４ＥＰの下面に設けられた固定材から成り、装飾隠蔽手段６０は、この固定片を覆うように取り付けられた装飾隠蔽片６２Ｃ、６２Ｅから成っている。この場合、装飾隠蔽片６２Ｃ、６２Ｅは、固定片５４ＣＰ、５４ＥＰに固定されているだけでもよいし、固定片５４ＣＰ、５４ＥＰと共に相応する指挿入部に粘着、接着又は面固着等によって固定されるようにしてもよい。
【００４２】
保持片５４ＤＰＣは、引っ掛け用索条５２が左右に変位することができるようにこの引っ掛け用索条５２が貫通する貫通孔５４ＤＰＣＨを有し、下面には対応する指挿入部４０Ｄに固定すべき固定材を有する。なお、付属品１０ＡＣが手袋本体１０Ｂに取り付けられるまでに保持片５４ＤＰＣを引っ掛け用索条５２に保持されるようにすることができれば、貫通孔５４ＤＰＣＨを有する必要はなく、例えば保持片５４ＤＰＣを保持紐で引っ掛け用索条５２に保持することができるようにしてもよい。この場合、保持片５４ＤＰＣを指挿入部４０Ｄに固定すれば、引っ掛け用索条５２は、この保持片５４ＤＰＣと指挿入部４０Ｄとの間で左右に変位することができるように、指挿入部４０Ｄに保持される。
【００４３】
索条５２の両端を固定するために固定片５４ＣＰ、５４ＥＰを用いることなく、この索条５２の両端自体を直接固定材で対応する指挿入部４０Ｃ、４０Ｅに固定してもよい。索条５２の両端（固定片がない場合）、固定片５４ＣＰ、５４ＥＰの固定材及び保持片５４ＤＰＣの固定材は、それらの下面（指挿入部に対応する面）に設けられた接着剤、熱融着材又は面固着材とすることができるが、剥離紙付きの圧力接着層又は熱融着層であるのが一層好ましい。剥離紙付きの場合、これらの索条５２の両端又は固定片５４ＣＰ、５４ＥＰ及び保持片５４ＤＰＣは、剥離紙を剥離した後、圧力接着層を指挿入部に加圧するか、熱融着層をアイロンなどで加熱しながら指挿入部に押し付けて指挿入部に固定することができる。
【００４４】
この付属品１０ＡＣは、索条５２の両端，固定片５４ＣＰ、５４ＥＰ及び保持片５４ＤＰＣをそれぞれ手袋本体１０Ｂの指挿入部４０Ｃ、４０Ｅ、４０Ｄにそれぞれ取り付けて図１及び図２に示すのと同様の構造を有する手袋（例えばゴルフ手袋）とすることができる。
【００４５】
図１０の実施の形態では、装飾隠蔽手段６０は、引っ掛け用索条５２の両端を固定する固定部を装飾的に隠蔽しているが、図１１に示すように、対応する指挿入部（図１乃至図３の４０Ｃ、４０Ｅ参照）の甲側に索条５２の両端を熱融着、接着又は面固着等によって固定すべき装飾隠蔽片から成っていてもよい。この装飾隠蔽手段６０は、索条５２の両端を対応する指挿入部４０Ｃ、４０Ｅの甲側に固定する機能とこの固定部を装飾的に隠蔽する機能とを合わせて有している。
【産業上の利用可能性】
【００４６】
本考案の手袋は、手袋を嵌めていない手（空き手）側の小指を引っ掛け用索条に引っ掛け、手袋を嵌めていない親指と人差し指等でゴルフ手袋の親指及び人差し指に相応する指挿入部を同時に摘まむことによって、すべて指からすべての指挿入部を引き外すことができるが、手袋が引っ掛け用索条の固定部によって体裁を損なうことがなく、ワンタッチで脱がすことができ且つ外観の良好な手袋を提供することができ、産業上の利用性が向上する。
【符号の説明】
【００４７】
１０  手袋
１０ＡＣ  付属品
１０Ｂ  手袋本体
１２  止め具
２０  甲部
３０  掌部
４０Ａ乃至４０Ｅ  ５つの指挿入部
４０ＤＳ  スリット
４０ＤＰＡ  生地部分  
４０ＤＭ、４０ＥＭ  縫着部
５０  手袋本体脱ぎ手段
５２  引っ掛け用索条
５２ＥＭ  縫着部
５４Ｃ、５４Ｅ  固定部
５４ＣＰ、５３ＥＰ  固定片
５４Ｄ  保持部
５４ＤＰＣ  保持片
５４ＤＰＣＨ  貫通孔
６０  装飾隠蔽手段
６２Ｃ、６２Ｅ  装飾隠蔽片
７０  ゴルフクラブ
【図１】
0003165202.tif 000003
【図２】
0003165202.tif 000004
【図３】
0003165202.tif 000005
【図４】
0003165202.tif 000006
【図５】
0003165202.tif 000007
【図６】
0003165202.tif 000008
【図７】
0003165202.tif 000009
【図８】
0003165202.tif 000010
【図９】
0003165202.tif 000011
【図１０】
0003165202.tif 000012
【図１１】
0003165202.tif 000013
【図１２】
0003165202.tif 000014